(57)【要約】【課題】Ｆナンバー５．６程度と比較的明るく、被写界深度が比較的深く、-０．０５倍程度に縮小して読み取る場合に、半画角３０°程度にて開口効率を１１０％以上とした明るい画像読取用レンズ系を得る。【解決手段】物体側から順に、物体側に凸面を向けた正メニスカスレンズの第１レンズと、絞りと、物体側に凹面を向けた負のメニスカスレンズの第２レンズと、両凸正レンズの第３レンズで構成され、第１レンズの少なくとも一面は非球面であり、該非球面は近軸部に比べて周辺部に行くほど正のパワーを強くして開口効率を大きくする形状である画像読取用レンズ系。【選択図】図１
2009053411.tif 000002
【特許請求の範囲】
【請求項１】
物体側から順に、物体側に凸面を向けた正メニスカスレンズの第１レンズと、絞りと、物体側に凹面を向けた負のメニスカスレンズの第２レンズと、両凸正レンズの第３レンズで構成され、
第１レンズの少なくとも一面は非球面であり、該非球面は近軸部に比べて周辺部に行くほど正のパワーを強くして開口効率を大きくする形状であることを特徴とする画像読取用レンズ系。
【請求項２】
請求項１記載の画像読取用レンズ系において、第２レンズの少なくとも一面は非球面であり、該非球面は近軸部に比べて周辺部に行くほど負のパワーを強くする形状である画像読取用レンズ系
【請求項３】
請求項１または２記載の画像読取用レンズ系において、下記条件式（１）及び（２）を満足する画像読取用レンズ系。
（１）-０．０２＜（ＡＳＰ２-ＡＳＰ１）／ｆ＜０．００
（２）０．２＜Ｒ１／ｆ＜１．０
但し、
ＡＳＰ１；第１レンズの物体側の面の高さ０．２ｆにおける非球面量、
ＡＳＰ２；第１レンズの像側の面の高さ０．１ｆにおける非球面量、
Ｒ１；第１レンズの物体側の面の曲率半径、
ｆ；全系の焦点距離。
【請求項４】
請求項１ないし３のいずれか１項記載の画像読取用レンズ系において、下記条件式（３）を満足する画像読取用レンズ系。
（３）０．００＜（ＡＳＰ４-ＡＳＰ３）／ｆ＜０．００１
但し、
ＡＳＰ３；第２レンズの物体側の面の高さ０．０５ｆにおける非球面量、
ＡＳＰ４；第２レンズの像側の面の高さ０．０６ｆにおける非球面量。
【請求項５】
請求項１ないし４のいずれか１項記載の画像読取用レンズ系において、下記条件式（４）を満足する画像読取用レンズ系。
（４）-０．５５λ＜ＷＡ＜-０．０５λ
但し、
ＷＡ；軸上光束の波面収差の最小値、
λ；設計波長。
【請求項６】
請求項１ないし５のいずれか１項記載の画像読取用レンズ系において、第１レンズと第２レンズは共に樹脂材料からなり、下記条件式（５）を満足する画像読取用レンズ系。
（５）-０．３６＜ｆ（ｆ１＋ｆ２-ｄ）／（ｆ１・ｆ２）＜-０．０８
但し、
ｆ１；第１レンズの焦点距離、
ｆ２；第２レンズの焦点距離、
ｄ；第１レンズの第２主点と第２レンズの第１主点の間隔。
【請求項７】
請求項１ないし６のいずれか１項記載の画像読取用レンズ系において、下記条件式（６）を満足する画像読取用レンズ系。
（６）-１．７＜ｆ２／ｆ３＜-０．７
但し、
ｆ３；第３レンズの焦点距離。
【発明の詳細な説明】
【技術分野】
【０００１】
本発明は、バーコードリーダー等に使用される画像読取用レンズ系に関する。
【背景技術】
【０００２】
画像読取用レンズ系の中でもバーコードリーダーのように深い被写界深度が要求される設計においては、Ｆナンバーが小さい明るいレンズ系を得ることは困難であった。
【特許文献１】特開２００１-３０５４２５号公報
【特許文献２】特開平７-８４１７９号公報
【特許文献３】特開２０００-３３００１５号公報
【発明の開示】
【発明が解決しようとする課題】
【０００３】
特許文献１は、トリプレット型でＦナンバーが５．６程度と比較的明るく、収差補正も行われているが、バーコードリーダー用としての深度が十分に確保されておらず、また、レンズ材料に高屈折率のガラスを用いているのでコストダウンを図ることは難しい。特許文献２では、球面収差を意図的に大きくすることで被写界深度を確保しているが、内視鏡用の対物レンズ系であるため、そのまま画像読取用レンズ系として使用すると、歪曲収差が大きいため画像が歪んでしまい、画像を正確に読み取ることができない。特許文献３では、フォーカシング機能を与えて合焦可能範囲を大きくしているが、可動部分があるため、機械構成が複雑化する。
【０００４】
本発明は、Ｆナンバー５．６程度と比較的明るく、被写界深度が比較的深く、-０．０５倍程度に縮小して読み取る場合に、半画角３０°程度にて開口効率を１１０％以上とした明るい画像読取用レンズ系を提供することを目的とする。
【課題を解決するための手段】
【０００５】
本発明の画像読取用レンズ系は、物体側から順に、物体側に凸面を向けた正メニスカスレンズの第１レンズと、絞りと、物体側に凹面を向けた負のメニスカスレンズの第２レンズと、両凸正レンズの第３レンズで構成され、第１レンズの少なくとも一面は非球面であり、該非球面は近軸部に比べて周辺部に行くほど正のパワーを強くして開口効率を大きくする形状であることを特徴としている。
【０００６】
本発明の画像読取用レンズ系の第２レンズは、少なくとも一面が非球面であり、該非球面は近軸部に比べて周辺部に行くほど負のパワーを強くする形状であることが好ましい。
【０００７】
本発明の画像読取用レンズ系は、次の条件式（１）及び（２）を満足することが望ましい。
（１）-０．０２＜（ＡＳＰ２-ＡＳＰ１）／ｆ＜０．００
（２）０．２＜Ｒ１／ｆ＜１．０
但し、
ＡＳＰ１；第１レンズの物体側の面の高さ０．２ｆにおける非球面量、
ＡＳＰ２；第１レンズの像側の面の高さ０．１ｆにおける非球面量、
Ｒ１；第１レンズの物体側の面の曲率半径、
ｆ；全系の焦点距離、
である。
【０００８】
また、次の条件式（３）を満足することが好ましい。
（３）０．００＜（ＡＳＰ４-ＡＳＰ３）／ｆ＜０．００１
但し、
ＡＳＰ３；第２レンズの物体側の面の高さ０．０５ｆにおける非球面量、
ＡＳＰ４；第２レンズの像側の面の高さ０．０６ｆにおける非球面量、
である。
【０００９】
また、次の条件式（４）を満足することが好ましい。
（４）-０．５５λ＜ＷＡ＜-０．０５λ
但し、
ＷＡ；軸上光束の波面収差の最小値、
λ；設計波長、
である。
【００１０】
本発明の画像読取レンズ系では、第１レンズと第２レンズは共に樹脂材料から構成し、次の条件式（５）を満足することが好ましい。
（５）-０．３６＜ｆ（ｆ１＋ｆ２-ｄ）／（ｆ１・ｆ２）＜-０．０８
但し、
ｆ１；第１レンズの焦点距離、
ｆ２；第２レンズの焦点距離、
ｄ；第１レンズの第２主点と第２レンズの第１主点の間隔、
である。
【００１１】
また、次の条件式（６）を満足することが好ましい。
（６）-１．７＜ｆ２／ｆ３＜-０．７
但し、
ｆ３；第３レンズの焦点距離、
である。
【発明の効果】
【００１２】
本発明によれば、Ｆナンバー５．６程度と比較的明るく、被写界深度が比較的深く、-０．０５倍程度に縮小して読み取る場合に、半画角３０°程度にて開口効率を１１０％以上とした明るい画像読取用レンズ系を得ることができる。
【発明を実施するための最良の形態】
【００１３】
本実施形態の画像読取レンズ系は、図１、図３、図５、図７、図９及び図１１の各実施例に示すように、物体側（拡大側）から順に、物体側に凸面を向けた正メニスカスの第１レンズ１０と、絞りＳと、物体側に凹面を向けた負メニスカスの第２レンズ２０と、両凸の第３レンズ３０とからなっている。第１レンズ１０の物体側には物体側カバーガラスＣ１が位置し、第３レンズ３０の像側（縮小側）には像側カバーガラスＣ２が位置している。
【００１４】
以上のレンズ構成において、第１レンズ１０は、非球面レンズであり、該非球面が周辺部に行くほど正のパワーを強くして、開口効率を大きくする。すなわち、通常の非球面は、諸収差を補正するために使われているのに対して、本実施形態の第１レンズの非球面は、周辺の光をより多く取り込み開口効率を大きくするために用いられている。
【００１５】
また、第２レンズ２０は、その少なくとも一面に、近軸球面に対し、周辺部に行く程負のパワーを強くする形状の非球面を有している。上述のように、第１レンズ１０の非球面は開口効率を大きくするために用いられていて収差補正には用いられていない。このため、第２レンズの非球面は、開口効率を大きくすることの代償として発生する第１レンズの諸収差を補正するためのもので、このように第２レンズの非球面形状を定めると、第１レンズで発生した収差を良好に補正し、かつ被写界深度を大きくすることができる。
【００１６】
条件式（１）は、第１レンズ１０の非球面量を数式で規定したものである。非球面量は、近軸球面に比較して、周辺部において光の進行方向に形状を変化させる場合がプラス、その逆の場合がマイナスと定義される。条件式（１）（及び（３））は、非球面量（サグ量）を定義する高さを最軸外光束の主光線が通る高さ（全系の焦点距離ｆの何倍かを用いて定義）程度に設定している。条件式（１）を満たす非球面は、開口効率を大きくするための非球面であり、従来の収差補正の為の非球面とは近軸球面に対する非球面の向きが全く逆である。言い換えると、本実施形態では、第１レンズでは収差が発生することを許容しながら、その非球面で開口効率を大きくしている。条件式（１）の下限を超えると、第１レンズで発生する球面収差が大きくなりすぎて後段の光学系で補正しきれなくなり、所望の解像度を得られなくなってしまう。条件式（１）の上限を超えると、周辺光量の確保に不利になってしまう。従来の収差補正のための非球面は上限を越えた範囲にある。
【００１７】
正のパワーの第１レンズは、周辺光量を確保するためには、軸上と周辺とのパワーの差が大きい方が好ましい。条件式（２）は、このための第１レンズの物体側の面の近軸曲率半径を規定している。条件式（２）の下限を超えると、第１レンズの物体側の面の近軸曲率半径が小さくなりすぎる。この状態で条件式（１）を満たせば、第１レンズの周辺部のパワーが強くなりすぎて、発生する像面湾曲やコマ収差を後段で補正することが難しい。条件式（２）の上限を超えると、条件式（１）を満たしても周辺光量の確保が困難になる。
【００１８】
第１レンズが条件式（１）と条件式（２）を満足すると、球面収差が補正不足の傾向となる。第２レンズは、この球面収差を補正するものであり、条件式（３）は、このための第２レンズ２０の非球面量を数式で規定したものである。上述のように、第２レンズの非球面量は、近軸球面に比し、周辺に行くほど負のパワーが大きくなる方向がよい。被写界深度を確保するために、全体として３次の球面収差を補正過剰にすることを前提とすると、第１レンズの３次の球面収差は補正不足であるので、第２レンズは補正過剰の球面収差を与えるのがよい。条件式（３）の下限を超えると、第２レンズの非球面が第１レンズで発生した補正不足の球面収差を大きくする方向に作用してしまう。条件式（３）の上限を超えると、球面収差、像面湾曲が大きくなりすぎて所望の被写界深度を得ることが困難になる。
【００１９】
条件式（４）は、被写界深度を確保するための条件である。波面収差の値と被写界深度の大きさとの間には、相関があり、球面収差を補正過剰にすると被写界深度を大きくすることができる。条件式（４）の下限を超えると、被写界深度の確保が困難になる。条件式（４）の上限を超えると、諸収差が悪化し、要求される解像度を満たすことが困難になる。
【００２０】
条件式（５）は、第１レンズと第２レンズを共に樹脂製としたとき、３０℃の温度変化に際してfB（バックフォーカス）の変化を許容値（例えば５μｍ以下）に抑えるための条件である。条件式（５）の下限を超えても上限を超えても、fBの変化を許容値内に収めることができない。
【００２１】
条件式（６）は、テレセントリック性を確保し、諸収差を良好に補正するための条件である。条件式（６）の下限を超えると、コマ収差がマイナス方向に大きくなってしまう。条件式（６）の上限を超えると、光量の確保が難しくなると同時に、コマ収差がプラス方向に大きくなってしまう。
【００２２】
次に具体的な数値実施例を示す。諸収差図中、球面収差で表される色収差（軸上色収差）図及び倍率色収差図中のｄ線、ｇ線、C線、Ｆ線、ｅ線はそれぞれの波長に対する収差であり、Ｓはサジタル、Ｍはメリディオナル、Ｙは像高である。また、表中のＦ値はＦナンバー、ｆは全系の焦点距離、Ｗは半画角（゜）、ｍは結像倍率、fB はバックフォーカス（像側カバーガラスＣ２の像側の面から像面迄の距離）、ΔfBは温度変化が+30℃のときのfBの変化量、VNTは最大像高の８割における開口効率（％）、被写界深度はＭＴＦ４本２０％を確保できる領域の値、ｒは曲率半径、ｄはレンズ厚またはレンズ間隔、Ｎd はｄ線の屈折率、νはアッベ数を示す。なお、ΔfBと被写界深度の値は、数値データ中の値をｍｍとしたときの値である。
また、回転対称非球面は次式で定義される。
x=cy2/[1+[1-(1+K)c2y2]1/2]+A4y4+A6y6+A8y8 +A10y10+A12y12・・・
（但し、ｘは非球面形状、ｃは曲率（１／ｒ）、ｙは光軸からの高さ、Ｋは円錐係数、Ａ４、Ａ６、Ａ８、・・・・・は各次数の非球面係数）
【００２３】
［数値実施例１］
図１及び図２と表１は、本発明の画像読取レンズ系の数値実施例１を示している。図１はそのレンズ構成図、図２は図１のレンズ構成における諸収差図、表１はその数値データである。絞りＳは第２レンズ（第３面）の前方（物体側）０．３３１の位置にある。
本画像読取レンズ系は、物体側から順に、平行平面板からなる物体側カバーガラスＣ１、物体側に凸面を向けた正メニスカスレンズの第１レンズ１０、絞りＳ、物体側に凹面を向けた負のメニスカスレンズの第２レンズ２０、両凸正レンズの第３レンズ３０及び平行平面板からなる像側カバーガラスＣ２からなっている。第１レンズ１０と第２レンズ２０はともに樹脂材料からなっており、第１レンズ１０は非球面レンズであり、両面が周辺部に行くほど正のパワーを強くする形状である。第２レンズ２０は、その両面が、近軸球面に対し、周辺部に行く程負のパワーを強くする形状の非球面である。第１レンズ１０の非球面は、周辺光量を確保するために有用であり、第２レンズ２０の非球面は、第１レンズの周辺の正のパワーを強くした結果生じる球面収差を補正し、かつ被写界深度を大きくするために有用である。
【００２４】
また、以下の全数値実施例において、物体側と像側のカバーガラスＣ１とＣ２は共通（同一）であり、次の数値データを有する。また、物点（被読取面）から物体側カバーガラスＣ１までの距離は119.00で一定（各実施例共通）であり、諸収差図は、物体側カバーガラスＣ１と像側カバーガラスＣ２を含んだ系の諸収差である。
物体側カバーガラスＣ１のデータ
厚さ（ｄ）=1.000
ｄ線の屈折率（Ｎｄ）=1.4900
アッベ数（ν）=57.8
第１レンズとの光軸上の距離=5.000
像側カバーガラスＣ２のデータ
厚さ（ｄ）=0.550
ｄ線の屈折率（Ｎｄ）=1.5163
アッベ数（ν）=64.1
【００２５】
（表１）
FNO.= 1:5.50
f=5.654
f1=6.193
f2=-3.557
f3=3.578
W=30.0
ｍ=-0.0465
fB=1.950
ΔfB=-1μm
VNT=112.07
被写界深度=110mm
面No.        r          d              Nd         ν
1*         2.003       1.050         1.5436       55.7
2*         4.033       0.462            -           -
3*        -1.306       0.800         1.6064       27.2
4*        -4.073       0.050            -           -
5         19.765       0.951         1.7292       54.7
6         -2.945          -             -           -
第３レンズ（面Ｎｏ．６）から像側カバーガラスＣ２迄の光軸上の距離=2.340
*は回転対称非球面。
非球面データ（表示していない非球面係数は0.00である。）；
面No.     K           A4                 A6
1        0.00     1.19689×10-02     5.83031×10-03
2        0.00     3.27957×10-02    -3.16564×10-02
3        0.00     3.80730×10-02     2.68196×10-02
4        0.00     3.10215×10-02     1.11283×10-03
【００２６】
［数値実施例２］
図３及び図４と表２は、本発明の画像読取レンズ系の数値実施例１を示している。図３はそのレンズ構成図、図４は図３のレンズ構成における諸収差図、表２はその数値データである。基本的なレンズ構成は数値実施例１と同様である。絞りＳは第２レンズ（第３面）の前方（物体側）０．３０４の位置にある。
【００２７】
（表２）
FNO.= 1:5.42
f=5.656
f1=6.356
f2=-4.275
f3=3.985
W=30.0
ｍ=-0.0465
fB=1.950
ΔfB=+5μm
VNT=112.62
被写界深度=90mm
面No.        r          d              Nd         ν
1*         2.096       1.050         1.5436       55.7
2*         4.389       0.599            -           -
3*        -1.270       0.800         1.6064       27.2
4*        -3.084       0.050            -           -
5         17.618       0.951         1.7292       54.7
6         -3.400          -            -           -
第３レンズ（面Ｎｏ．６）から像側カバーガラスＣ２迄の光軸上の距離=2.238
*は回転対称非球面。
非球面データ（表示していない非球面係数は0.00である。）；
面No.     K           A4                 A6
1        0.00     9.70884×10-03     4.39839×10-03
2        0.00     2.23818×10-02    -1.66804×10-02
3        0.00     5.19999×10-02     5.48202×10-02
4        0.00     3.12213×10-02     4.22196×10-03
【００２８】
［数値実施例３］
図５及び図６と表３は、本発明の画像読取レンズ系の数値実施例３を示している。図５はそのレンズ構成図、図６は図５のレンズ構成における諸収差図、表３はその数値データである。基本的なレンズ構成は数値実施例１と同様である。絞りＳは第２レンズ（第３面）の前方（物体側）０．３５７の位置にある。
【００２９】
（表３）
FNO.= 1:5.43
f=5.683
f1=6.811
f2=-3.559
f3=3.458
W=29.9
ｍ=-0.0465
fB=1.950
ΔfB=-4μm
VNT=111.96
被写界深度=130mm
面No.        r          d              Nd         ν
1*         2.262       1.050         1.5436       55.7
2*         4.864       0.732            -           -
3*        -1.211       0.800         1.6064       27.2
4*        -3.447       0.058            -           -
5         17.904       0.951         1.7292       54.7
6         -2.869          -            -           -
第３レンズ（面Ｎｏ．６）から像側カバーガラスＣ２迄の光軸上の距離=2.431
*は回転対称非球面。
非球面データ（表示していない非球面係数は0.00である。）；
面No.     K           A4                 A6
1        0.00     6.69502×10-03     1.71340×10-03
2        0.00    -4.56197×10-05    -2.51039×10-03
3        0.00    -1.99860×10-02     3.08273×10-01
4        0.00     2.91770×10-02     8.99079×10-03
【００３０】
［数値実施例４］
図７及び図８と表４は、本発明の画像読取レンズ系の数値実施例４を示している。図７はそのレンズ構成図、図８は図７のレンズ構成における諸収差図、表４はその数値データである。基本的なレンズ構成は数値実施例１と同様である。絞りＳは第２レンズ（第３面）の前方（物体側）０．２８０の位置にある。
【００３１】
（表４）
FNO.= 1:5.32
f=5.662
f1=5.691
f2=-3.518
f3=3.695
W=30.0
ｍ=-0.0465
fB=1.950
ΔfB=+4μm
VNT=114.61
被写界深度=135mm
面No.        r          d              Nd         ν
1*         2.012       1.050         1.5436       55.7
2*         4.697       0.568            -           -
3*        -1.330       0.800         1.6064       27.2
4*        -4.334       0.220            -           -
5         17.936       0.951         1.7292       54.7
6         -3.100          -             -           -
第３レンズ（面Ｎｏ．６）から像側カバーガラスＣ２迄の光軸上の距離=2.112
*は回転対称非球面。
非球面データ（表示していない非球面係数は0.00である。）；
面No.     K           A4                 A6
1        0.00     8.71356×10-03     4.40437×10-03
2        0.00     7.63457×10-03    -8.73956×10-03
3        0.00    -3.91347×10-02     3.14919×10-01
4        0.00     2.71549×10-02     8.42642×10-03
【００３２】
［数値実施例５］
図９及び図１０と表５は、本発明の画像読取レンズ系の数値実施例５を示している。図９はそのレンズ構成図、図１０は図９のレンズ構成における諸収差図、表５はその数値データである。基本的なレンズ構成は数値実施例１と同様である。絞りＳは第２レンズ（第３面）の前方（物体側）０．４２０の位置にある。
【００３３】
（表５）
FNO.= 1:5.22
f=5.788
f1=11.673
f2=-5.488
f3=3.645
W=29.3
ｍ=-0.0465
fB=1.950
ΔfB=-2μm
VNT=110.55
被写界深度=90mm
面No.        r          d              Nd         ν
1*         3.500       1.400         1.5436       55.7
2*         6.706       2.000            -           -
3*        -1.136       0.700         1.6064       27.2
4*        -2.126       0.050            -           -
5         13.455       1.000         1.7292       54.7
6         -3.208          -             -           -
第３レンズ（面Ｎｏ．６）から像側カバーガラスＣ２迄の光軸上の距離=2.410
*は回転対称非球面。
非球面データ（表示していない非球面係数は0.00である。）；
面No.     K           A4                 A6
1        0.00     4.14337×10-04     6.31147×10-05
2        0.00    -2.65410×10-03     9.64102×10-05
3        0.00     2.91468×10-02     3.64659×10-01
4        0.00     3.15066×10-02     2.97364×10-02
【００３４】
［数値実施例６］
図１１及び図１２と表６は、本発明の画像読取レンズ系の数値実施例６を示している。図１１はそのレンズ構成図、図１２は図１１のレンズ構成における諸収差図、表６はその数値データである。基本的なレンズ構成は数値実施例１と同様である。絞りＳは第２レンズ（第３面）の前方（物体側）０．２５５の位置にある。
【００３５】
（表６）
FNO.= 1:5.54
f=5.629
f1=4.902
f2=-2.813
f3=3.389
W=30.2
ｍ=-0.0465
fB=1.950
ΔfB=+1μm
VNT=110.03
被写界深度=95mm
面No.        r          d              Nd         ν
1*         1.600       1.050         1.5436       55.7
2*         3.079       0.100            -           -
3*        -1.701       0.700         1.6064       27.2
4*      -723.104       0.244            -           -
5        115.649       0.951         1.7292       54.7
6         -2.516          -             -           -
第３レンズ（面Ｎｏ．６）から像側カバーガラスＣ２迄の光軸上の距離=2.160
*は回転対称非球面。
非球面データ（表示していない非球面係数は0.00である。）；
面No.     K           A4                 A6
1        0.00     1.90000×10-02     1.31749×10-02
2        0.00     3.38606×10-03    -1.83674×10-01
3        0.00    -1.50498×10-01     -8.24833×10-02
4        0.00    -1.17020×10-02      6.35401×10-03
【００３６】
各数値実施例の各条件式に対する値を表７に示す。
（表７）
実施例１  実施例２  実施例３  実施例４  実施例５  実施例６
条件式（１） -0.0052  -0.0041  -0.0026   -0.0041   -0.0002    -0.0112
条件式（２） 0.354    0.371    0.398    0.355      0.605     0.284
条件式（３） 0.000028 0.000011 0.000066  0.000082  0.000016  0.00015
条件式（４） -0.31λ   -0.17λ   -0.49λ   -0.52λ   -0.21λ   -0.21λ
条件式（５） -0.25     -0.10     -0.32    -0.15      -0.25      -0.25
条件式（６） -0.99     -1.07     -1.03    -0.95      -1.51      -0.83
【００３７】
表７から明らかなように、実施例１ないし６は条件式（１）〜（６）を満足しており、また諸収差図から明らかなように諸収差は比較的よく補正されている。
【図面の簡単な説明】
【００３８】
【図１】本発明による読取レンズ系の数値実施例１のレンズ構成図である。
【図２】図１のレンズ構成の諸収差図である。
【図３】本発明による読取レンズ系の数値実施例２のレンズ構成図である。
【図４】図３のレンズ構成の諸収差図である。
【図５】本発明による読取レンズ系の数値実施例３のレンズ構成図である。
【図６】図５のレンズ構成の諸収差図である。
【図７】本発明による読取レンズ系の数値実施例４のレンズ構成図である。
【図８】図７のレンズ構成の諸収差図である。
【図９】本発明による読取レンズ系の数値実施例５のレンズ構成図である。
【図１０】図９のレンズ構成の諸収差図である。
【図１１】本発明による読取レンズ系の数値実施例６のレンズ構成図である。
【図１２】図１１のレンズ構成の諸収差図である。
【符号の説明】
【００３９】
１０  第１レンズ
２０  第２レンズ
３０  第３レンズ
Ｓ  絞り
Ｃ１  Ｃ２  カバーガラス
【図１】
2009053411.tif 000003
【図２】
2009053411.tif 000004
【図３】
2009053411.tif 000005
【図４】
2009053411.tif 000006
【図５】
2009053411.tif 000007
【図６】
2009053411.tif 000008
【図７】
2009053411.tif 000009
【図８】
2009053411.tif 000010
【図９】
2009053411.tif 000011
【図１０】
2009053411.tif 000012
【図１１】
2009053411.tif 000013
【図１２】
2009053411.tif 000014